(57)【要約】【課題】各分割ハウジングの周壁部の対向部分間で、電気的な接続部分を十分に保護できる技術を提供すること。【解決手段】コネクタハウジング１２は、分割ハウジング２０，３０の合体により構成される。各分割ハウジング２０，３０の内側に制御回路部が構成される。各分割ハウジング２０，３０の合体形態で、周壁部２１，３１の対向面２１ａ，３１ａ間で接続端子部同士が接触し、各分割ハウジング２０，３０の回路パターン同士が電気的に接続される。コネクタハウジング１２の外周部に、対向面２１ａ，３１ａの延在方向に沿って凹溝１４が形成され、この凹溝１４に接合部カバー４０が嵌め込まれる。接合部カバー４０は、分割ハウジング２０，３０の凹溝１４部分に溶着される。【選択図】図３
2006134595.tif 000002
【特許請求の範囲】
【請求項１】
外部配線と電子機器とに接続される制御機能付コネクタ装置であって、
周壁部を有する分割ハウジングを複数合体させることにより構成されるコネクタハウジングと、
前記各分割ハウジングに形成された回路パターンと、前記各分割ハウジングのそれぞれの内面側に実装された電子部品とで構成される制御回路部と、
前記各分割ハウジングが合体した形態で、前記各周壁部の対向部分間で前記各分割ハウジングに形成された回路パターン同士を電気的に接続する接続手段と、
前記各周壁部の対向部分を前記コネクタハウジングの外側から覆うように、前記各分割ハウジングに溶着された接合部カバーと、
を備えた制御機能付コネクタ装置。
【請求項２】
請求項１記載の制御機能付コネクタ装置であって、
前記コネクタハウジングの外周部に前記各周壁部の対向部分間に沿って凹溝が形成され、
前記接合部カバーは、前記凹溝に嵌め込み可能な形状に形成され、
前記接合部カバーが前記凹溝に嵌め込まれた状態で、少なくとも前記凹溝の両内側面と前記接合部カバーの両外側面とが溶着されている、制御機能付コネクタ装置。
【請求項３】
請求項１又は請求項２記載の制御機能付コネクタ装置であって、
前記各分割ハウジングと前記接合部カバーとの溶着部分を横切るようにして、前記コネクタハウジングに外嵌めされると共に、少なくともその溶着部分に密着状に溶着された環状部材と、
前記環状部材の外周囲に外嵌めされた環状防水部材と、
をさらに備えた制御機能付コネクタ装置。
【発明の詳細な説明】
【技術分野】
【０００１】
この発明は、制御機能を組込んだ制御機能付コネクタ装置に関するものである。
【背景技術】
【０００２】
近年、自動車の低燃費性向上、乗員の快適性向上といった機能を充実させる目的で、車両に搭載される負荷やセンサ等の電装機器数は増加する一途にある。
【０００３】
これに伴い、ワイヤーハーネスの回路数も増加しているが、ワイヤーハーネスの配索スペースの制約から、回路数の削減が要求されている。
【０００４】
その方策のひとつとして、信号多重化による信号線の削減がある。これに対応するため、負荷制御等を行う制御回路及び通信制御回路を組込んだ制御機能付コネクタ装置を、電子制御装置（ＥＣＵ）、モータ等の各種負荷、センサ等に接続した技術が考えられている。
【０００５】
この種の制御機能付コネクタ装置は、例えば、電子制御装置に接続されると共に、所定の通信ラインを介して他の電子制御装置に接続される。これにより、車内で、複数の電子制御装置による通信ネットワークを構成する。そして、各制御機能付コネクタ装置間で、所定のプロトコル（例えばＣＡＮ等）に従い、データ通信を行う。あるいは、各電装機器に接続されると共に、所定の通信ラインを介して電子制御装置に接続される。そして、電子制御装置と各制御機能付コネクタ装置との間で多重通信を行い、各制御機能付コネクタ装置が、電子制御装置からの制御指令に基づいて各負荷制御を行ったり、また、センサからの出力を受けてこれを電子制御装置に与える構成となっている。
【０００６】
ところで、上記のような制御機能付コネクタ装置では、所定の制御機能を持たせるために、制御用ＩＣ等の電子部品を含む制御回路を組込んだ上で、小型化を図る必要がある。
【０００７】
そのための構成としては、コネクタハウジングの内面側にメッキ等により所定の回路パターンを形成してこれに電子部品を実装して、所定の制御回路を形成する構成が想定される。
【０００８】
この場合に、生産性の観点からすると、コネクタハウジングを２分割構成にし、それぞれの分割ハウジング内面にメッキ等で所定の回路パターンを形成すると共に、電子部品を実装した後、両分割ハウジングを合体させることが好ましい。
【０００９】
なお、金属メッキにより所定の回路パターンを形成した技術は、特許文献１に開示されている。
【００１０】
【特許文献１】特開平７−２９４７７７号公報
【発明の開示】
【発明が解決しようとする課題】
【００１１】
ところで、上記のようにコネクタハウジングを２分割した構成では、それぞれの分割ハウジングに形成された回路パターン同士を電気的に接続する必要がある。
【００１２】
そのための構成として、例えば、両分割ハウジングの周壁部の対向面に接触端子を設け、両分割ハウジングを組合わせた状態で、両対向面間で接触端子同士を接触させ、これにより、それぞれの分割ハウジングの回路パターン同士を電気的に接続する構成が提案される。
【００１３】
しかしながら、上記のように、両分割ハウジングの周壁部の対向面間で電気的な接続を図る構成では、水の浸入等から、対向面間の電気的な接続部分を十分に保護する必要がある。
【００１４】
そこで、本発明は、両分割ハウジングの周壁部の対向部分間で、電気的な接続部分を十分に保護できる技術を提供することにある。
【課題を解決するための手段】
【００１５】
この発明は、外部配線と電子機器とに接続される制御機能付コネクタ装置であって、周壁部を有する分割ハウジングを複数合体させることにより構成されるコネクタハウジングと、前記各分割ハウジングに形成された回路パターンと、前記各分割ハウジングのそれぞれの内面側に実装された電子部品とで構成される制御回路部と、前記各分割ハウジングが合体した形態で、前記各周壁部の対向部分間で前記各分割ハウジングに形成された回路パターン同士を電気的に接続する接続手段と、前記各周壁部の対向部分を前記コネクタハウジングの外側から覆うように、前記各分割ハウジングに溶着された接合部カバーと、を備えたものである。
【００１６】
この場合、前記コネクタハウジングの外周部に前記各周壁部の対向部分間に沿って凹溝が形成され、前記接合部カバーは、前記凹溝に嵌め込み可能な形状に形成され、前記接合部カバーが前記凹溝に嵌め込まれた状態で、少なくとも前記凹溝の両内側面と前記接合部カバーの両外側面とが溶着されていてもよい。
【００１７】
また、前記各分割ハウジングと前記接合部カバーとの溶着部分を横切るようにして、前記コネクタハウジングに外嵌めされると共に、少なくともその溶着部分に密着状に溶着された環状部材と、前記環状部材の外周囲に外嵌めされた環状防水部材と、をさらに備えた構成であってもよい。
【発明の効果】
【００１８】
この発明の制御機能付コネクタ装置によると、各周壁部の対向部分をコネクタハウジングの外側から覆うように、記各分割ハウジングに溶着された接合部カバーを備えているため、各分割ハウジングの周壁部の対向部分間で、電気的な接続手段を十分に保護できる。
【００１９】
また、接合部カバーが凹溝に嵌め込まれた状態で、凹溝の両内側面と接合部カバーの両外側面とが溶着された構成とすると、接合部カバーを凹溝に嵌め込んだ状態で、溶着作業を容易に行える。
【００２０】
さらに、環状部材が、各分割ハウジングと前記接合部カバーとの溶着部分を横切るようにして、コネクタハウジングに外嵌めされると共に、少なくともその溶着部分に密着状に溶着されており、この環状部材の外周囲に環状防水部材が外嵌めされていると、当該環状防水部材で仕切られる区画間でより確実に水の浸入を防止できる。
【発明を実施するための最良の形態】
【００２１】
以下、この発明の実施形態に係る制御機能付コネクタ装置について説明する。
【００２２】
この制御機能付コネクタ装置は、外部配線と電子機器とに接続されるものである。接続先となる電子機器としては、電子制御装置（ＥＣＵ）や、各種アクチュエータやセンサ等の電装機器等が想定される。この制御機能付コネクタ装置の適用例としては、例えば、次の２つの例が考えられる。
【００２３】
図１は制御機能付コネクタ装置の第１適用例に係る車両制御システムを示す図である。
【００２４】
この制御システムは、複数のＥＣＵ２間で通信ネットワークを構成した例であり、即ち、接続ケーブル（外部配線）４に、電子機器としてのＥＣＵ（電子制御装置）２が複数接続されている。制御機能付コネクタ装置１０は、各ＥＣＵ２に設けられる図示しないコネクタ嵌合部に嵌合接続された状態で、各ＥＣＵ２と接続ケーブル４との間に介装される。そして、各制御機能付コネクタ装置１０に対して通信アドレスが設定されており、各ＥＣＵ２は、各制御機能付コネクタ装置１０を介して、ＣＡＮ等の所定のプロトコルに従って多重データ通信を行うようになっている。
【００２５】
図２は制御機能付コネクタ装置の第２適用例に係る車両制御システムを示す図である。
【００２６】
この制御システムは、接続ケーブル（外部配線）４に、電子機器としてのＥＣＵ（電子制御ユニット）２が接続されると共に、各種アクチュエータやセンサ等の複数の電装機器３がバス接続等されて構成されている。制御機能付コネクタ装置１０は、電装機器３と接続ケーブル４との間に介装され、電装機器３に設けられる図示しないコネクタ嵌合部に嵌合接続されて、それらの電気的な接続及び機械的な固定が行われる。そして、各制御機能付コネクタ装置１０に対して通信アドレスが設定されており、各制御機能付コネクタ装置１０は、ＥＣＵ２から接続ケーブル４を介して多重化されて与えられる制御信号に基づいて電装機器３を制御し、或は、電装機器３側からの諸信号をＥＣＵ２側に与えるようになっている。
【００２７】
図３は制御機能付コネクタ装置を示す斜視図、図４は図３のＩＶ−ＩＶ線断面図、図５は図３のＶ−Ｖ線断面図、図６は制御機能付コネクタ装置の要部拡大斜視図、図７は制御機能付コネクタ装置の分解斜視図、図８は一方側（上側）の分割ハウジングの内部構成を示す図、図９は他方側（下側）の分割ハウジングの内部構成を示す図、図１０は接合部カバーを示す平面図である。なお、図４、図５及び図７において、内部構成等を部分的に省略してある。
【００２８】
この制御機能付コネクタ装置１０は、コネクタハウジング１２と、制御回路部と、コネクタハウジング１２の分割部分間で所定の電気的接続を行う接続手段としての一対の接続端子部２５，３５と、接合部カバー４０とを備えている。
【００２９】
コネクタハウジング１２は、内部に機器２，３との接続用の端子部や、所定の制御回路を構成するための電子部品１６等を収容可能な空間を有するボックス状に形成されている。
【００３０】
ここでは、コネクタハウジング１２は、扁平な筺状に形成されており、その一端部に端子部が組込まれることにより、機器２，３との接続用のコネクタ部１５が形成される。また、コネクタハウジング１２の他端部内に上記接続ケーブル４が導入されると共に、その内部で該接続ケーブルの各電線が図示省略の圧接端子等に電気的に接続されている。
【００３１】
なお、機器２，３との接続構造及び接続ケーブル４の接続構造としては、周知の各種接続構造を適用できる。
【００３２】
また、このコネクタハウジング１２は、複数の分割ハウジング２０，３０の合体により構成されている。なお、各分割ハウジング２０，３０の合体形態は、ねじ止や係合構造等により保持される。
【００３３】
ここでは、コネクタハウジング１２がその扁平方向に沿って２分割されることで、２つの分割ハウジング２０，３０が形成されている。なお、コネクタハウジング１２は、３つ以上に分割されていてもよいし、また、分割する位置に関しても、コネクタハウジング１２の縦方向に分割する等、上記分割形態に限られない。
【００３４】
各分割ハウジング２０，３０は、絶縁性樹脂のモールド成型品等、絶縁性材料により形成されている。
【００３５】
各分割ハウジング２０，３０は、本体板部２０ａ，３０ｂの外周囲に周壁部２１，３１が形成された形状、即ち、扁平な略筺状の形状とされている。より具体的には、各分割ハウジング２０，３０は、本体板部２０ａ，３０ｂの周囲３方を周壁部２１，３１で囲み、残りの１方をコネクタ部１５で囲んだ形状とされている。
【００３６】
また、この分割ハウジング２０，３０の収容凹部２２，３２の内面には、所定の回路パターン２４，３４が形成されている。所定の回路パターン２４，３４は、例えば、金属メッキ等により形成されている。このように、樹脂等の立体成型品の表面に、導電性の所定の回路パターンを形成した部品は、ＭＩＤ（Molded Interconnect Device：立体成型回路部品）と呼ばれ、上述した金属メッキ等周知の種々の方法により製造できる。
【００３７】
さらに、各分割ハウジング２０，３０の収容凹部２２，３２の内面には、本制御機能付コネクタ装置の諸制御機能を実現するための電子部品１６（例えば、通信用ＩＣや負荷制御用ＩＣ等）が、その各端子を回路パターン２４，３４に接続するようにして実装されている。
【００３８】
そして、各分割ハウジング２０，３０に形成される所定の回路パターン２４，３４同士が適宜電気的に接続されることにより、当該所定の回路パターン２４，３４と上記実装された各電子部品１６とで、本制御機能付コネクタ装置の諸制御（例えば、通信制御や負荷制御等）を行うための制御回路部が構成されるようになっている。
【００３９】
このような制御機能付コネクタ装置１０では、分割ハウジング２０，３０の内面に回路パターン２４，３４を形成すると共に電子部品１６を実装しているため、別途他の実装基板等を組込む必要が無く、小型化が図られるという利点がある。また、分割ハウジング２０，３０に回路パターン２４，３４を形成すると共に電子部品１６を実装した後、これらを合体させているため、回路パターン２４，３４の形成や電子部品１６の実装も容易に行え、生産性に優れるという利点がある。
【００４０】
また、各周壁部２１，３１の各端部のうちの内周部は、互いに対向する対向面２１ａ，３１ａに形成されると共に、各周壁部２１，３１の各端部のうちの外周部は、断面略Ｌ字溝状に凹んだ窪み部分１４ａ，１４ｂとなっている。
【００４１】
そして、各分割ハウジング２０，３０を組合わせた形態で、対向面２１ａ，３１ａが面接触する（又は所定間隔あけて対向する）ように構成されている。また、各分割ハウジング２０，３０を組合わせた形態で、コネクタハウジング１２の外周部に前記対向面２１ａ，３１ａの延在方向に沿って断面略方形状の凹溝１４が形成されるようになっている。本実施形態では、コネクタハウジング１２の周囲３方の側面に、連続する凹溝１４が形成される。
【００４２】
一対の接続端子部２５，３５は、各分割ハウジング２０，３０が合体した形態で、上記対向面２１ａ，３１ａ間で各分割ハウジング２０，３０に形成された回路パターン２４，３４同士を電気的に接続するように構成されている。
【００４３】
より具体的に説明すると、一対の対向面２１ａ，３１ａのそれぞれに、前記合体形態で対向する一対の接続端子部２５，３５が少なくとも一組（ここでは複数組）形成されている。
【００４４】
各接続端子部２５，３５は、導電性部分であり、上記回路パターン２４，３４に電気的に接続されている。このような接続端子部２５，３５は、上記回路パターン２４，３４と同様に、金属メッキ等で形成される。
【００４５】
そして、両分割ハウジング２０，３０を合体させると、一対の対向面２１ａ，３１ａ同士が面接触する。これにより、一対の対向面２１ａ，３１ａ間で、対応する接続端子部２５，３５同士が所定の押圧力下で接触して電気的に接続されるようになる。
【００４６】
なお、分割ハウジング２０，３０間で電気的接続を行う手段は、上記例に限られない。例えば、一対の対向面２１ａ，３１ａにおける接続端子部２５，３５を、互いに嵌まり合い可能な凹凸形状に形成し、両分割ハウジング２０，３０を合体させた状態で、凹凸形状が嵌まり合って接続端子部２５，３５同士が電気的に接触する構成としてもよい。
【００４７】
また、一対の対向面２１ａ，３１ａ間で、回路パターン２４，３４に電気的に接続された接点部同士を半田付により接続する構成であってもよい。
【００４８】
さらに、一対の対向面２１ａ，３１ａ間に、異方導電部材を介在させ、この異方導電部材を通じて上記接続端子部２５，３５同士が電気的に接続される構成であってもよい。
【００４９】
要するに、対向面２１ａ，３１ａ間で電気的な接続を行う種々の構成を採用することができる。
【００５０】
接合部カバー４０は、各周壁部２１，３１の対向面２１ａ，３１ａの対向部分を、コネクタハウジング１２の外側から覆うように配設される。
【００５１】
ここでは、接合部カバー４０は、細長棒状の連結部４１の両端部に細長棒状の側棒部４２が連結されてなる略Ｕ字状の全体形状に形成されている（図１０参照）。また、その各部の断面形状は、上記凹溝１４に嵌め込み可能な略方形状に形成されている。
【００５２】
そして、本接合部カバー４０は、上記コネクタハウジング１２の周囲３方の側面の凹溝１４に、その凹みを埋めるように嵌め込み可能とされている。
【００５３】
なお、接合部カバー４０は、複数に分割されていてもよい。この場合には、接合部カバー４０をコネクタハウジング１２に組付けた後、接合部カバー４０の分割された部分同士を後述するレーザ透過溶着法等にて溶着することが好ましい。
【００５４】
また、この接合部カバー４０は、上記各分割ハウジング２０，３０に溶着されている。
【００５５】
ここでは、接合部カバー４０の延在方向全体に亘って、上記凹溝１４の内側面と接合部カバー４０の外側面とが溶着されている（図６で斜線を付した部分参照）。これにより、対向面２１ａ，３１ａの外側で、分割ハウジング２０，３０と接合部カバー同士が封止状に接合され、接続端子部２５，３５による接続部分が外部から保護されるようになる。
【００５６】
なお、接合部カバー４０は、必ずしも凹溝１４に嵌め込まれる必要はない。要するに、接合部カバー４０が対向面２１ａ，３１ａをコネクタハウジング１２の外側から覆うように配設され、かつ、分割ハウジング２０，３０に溶着される構成であればよい。
【００５７】
ここで、分割ハウジング２０，３０と接合部カバー４０との溶着は、レーザ透過溶着法によることが好ましい。レーザ透過溶着法は、次の原理を利用した方法である。すなわち、光透過性樹脂部品と光吸収性樹脂部品とを重ねた状態で、光透過性樹脂部品側からレーザービームを照射する。すると、レーザービームは、光透過性樹脂部品を透過し、光吸収性樹脂部品のうち光透過性樹脂部品の境界近傍部分を発熱させる。この熱によって、両樹脂部品を溶融・接合する方法である。
【００５８】
かかるレーザ透過溶着法は、無振動で、精度よくかつ密着性より、２つの部材を溶着できるという利点がある。
【００５９】
本レーザ透過溶着法を実施するためには、分割ハウジング２０，３０と接合部カバー４０のうち一方が光透過性樹脂部品で形成され、他方が光吸収性樹脂部品で形成され、かつ、両者の溶融温度がレーザ溶着可能な程度に近いことが好ましい。例えば、分割ハウジング２０，３０と接合部カバー４０とを、架橋ＰＢＴ（ポリブチレンテレフタレート）、ＬＣＰ（液晶ポリマー）、ＰＰＡ（ポリフタルアミド）、ＰＰＳ（ポリフェニレンサルファイド）等で形成すると共に、その一方に着色材料（顔料系吸収色素や染料系吸収色素等）を、レーザ光を吸収可能な程度の量だけ混入するとよい。
【００６０】
勿論、接合部カバー４０と分割ハウジング２０，３０とは、超音波溶着等のその他の溶着方法で溶着されていてもよい。
【００６１】
このような制御機能付コネクタ装置１０は、例えば、次のようにして製造される。
【００６２】
すなわち、各分割ハウジング２０，３０をモールド形成等で形成した後、該各分割ハウジング２０，３０の内面に金属メッキ等で回路パターン２４，３４及び接続端子部２５，３５を形成し、さらに、各電子部品１６を実装する。また、分割ハウジング２０，３０に対して端子部の組込みや接続ケーブル４の組込みを行う。
【００６３】
そして、下側の分割ハウジング３０の周壁部３１ａの窪み部分１４ｂに、接合部カバー４０をセットする。この状態で、対応する接続端子部２５，３５同士を接触させるようにして、下側の分割ハウジング３０上に上側の分割ハウジング２０を重ね合せて合体させる。そして、接合部カバー４０の両外側面とコネクタハウジング１２の凹溝１４の両内側面同士を溶着すると、制御機能付コネクタ装置１０の組立てが完了する。
【００６４】
なお、両分割ハウジング２０，３０を合体させた後、接合部カバー４０を広げつつ凹溝１４にセットするようにしてもよい。
【００６５】
以上のように構成された制御機能付コネクタ装置によると、各周壁部２１，３１の対向面２１ａ，３１ａをコネクタハウジング１２の外側から覆うように、各分割ハウジング２０，３０に溶着された接合部カバー４０を備えているため、各周壁部２１，３１の対向面２１ａ，３１ａ間で、電気的な接続手段である接続端子部２５，３５を十分に保護できる。具体的には、外部からの水、油分の浸入を防止できる。また、外部の部品や塵芥等が、接続端子部２５，３５に接触することを有効に防止できる。また、接続端子部２５，３５からの電気的なリークも有効に防止できる。
【００６６】
また、接合部カバー４０が凹溝１４に嵌め込まれた状態で、凹溝１４の両内側面と接合部カバーの両外側面とが溶着されているため、接合部カバー４０を凹溝１４に嵌め込んだ状態で、溶着作業を容易に行える。また、溶着後、接合部カバー４０の脱落も有効に防止でき、また、コネクタハウジング１２の外部形状を凹凸の少ない形状にすることもできる。
【００６７】
図１１は変形例に係る制御機能付コネクタ装置を示す斜視図であり、図１２は同変形例に係る制御機能付コネクタ装置が相手側のコネクタに接続された状態を示す説明図である。
【００６８】
この変形例に係る制御機能付コネクタ装置１０Ｂでは、コネクタハウジング１２に環状部材５０を外嵌めすると共に、この環状部材５０の外周囲に環状防水部材５２を外嵌めしている。
【００６９】
上記環状部材５０は、各分割ハウジング２０，３０と接合部カバー４０との溶着部分を横切るようにしてコネクタハウジング１２に外嵌めされている。ここでは、コネクタハウジング１２のうち相手側コネクタ６０への嵌合接続に供されるコネクタ部１５に環状部材５０を外嵌めしている。
【００７０】
また、この環状部材５０は、少なくとも各分割ハウジング２０，３０と接合部カバー４０との溶着部分に密着状に溶着されている。ここでは、環状部材５０の全周に亘って、環状部材５０がコネクタハウジング１２の外周囲に溶着されている。この部分の溶着も、上記と同様にレーザ透過溶着法によりなされることが好ましく、環状部材５０は、好ましくはコネクタハウジング１２とレーザ溶着可能な部材により形成される。
【００７１】
環状防水部材５２は、本制御機能付コネクタ装置と接続先のコネクタとの嵌合接続部分に介在し、両者の端子同士の接触部分への水の浸入を防止するためのものであり、いわゆるコネクタ用の防水ゴムリングである（図１２参照）。
【００７２】
この変形例では、コネクタハウジング１２に環状部材５０を外嵌めし、この環状部材５０を、各分割ハウジング２０，３０と接合部カバー４０との溶着部分に密着状に溶着し、さらに、この環状部材５０の外周囲に環状防水部材５２を外嵌めしているため、当該環状防水部材５２で仕切られる区画間でより確実に水の浸入を防止できる。
【００７３】
すなわち、図１３に示すように、上記接合部カバー４０の両外側面と凹溝１４の両内側面とを溶着した場合（図１３で”×”を付した部分参照）、詳細に観察すると、それらの溶着部分で微妙な凹凸が生じている。このため、これらの溶着部分を横切るような態様で、コネクタハウジング１２の外周囲に直接環状防水部材５２を外嵌めすると、当該溶着部分でコネクタハウジング１２と環状防水部材５２間で僅かな隙間を生じ、この部分で液体が浸入する恐れがある。
【００７４】
そこで、図１４に示すように、環状部材５０を、各分割ハウジング２０，３０と接合部カバー４０との溶着部分に密着状に溶着した上で、この環状部材５０の外周囲に環状防水部材５２を外嵌めして溶着すると（図１４で”×”を付した部分参照）、上記のような隙間を無くすることができる。このため、環状防水部材５２で仕切られる区画間でより確実に水の浸入を防止できることになる。
【図面の簡単な説明】
【００７５】
【図１】この発明の実施形態に係る制御機能付コネクタ装置の第１適用例を示すシステム構成図である。
【図２】この発明の実施形態に係る制御機能付コネクタ装置の第２適用例を示すシステム構成図である。
【図３】制御機能付コネクタ装置を示す斜視図である。
【図４】図３のＩＶ−ＩＶ線断面図である。
【図５】図３のＶ−Ｖ線断面図である。
【図６】制御機能付コネクタ装置の要部拡大斜視図である。
【図７】制御機能付コネクタ装置の分解斜視図である。
【図８】一方側（上側）の分割ハウジングの内部構成を示す図である。
【図９】他方側（下側）の分割ハウジングの内部構成を示す図である。
【図１０】接合部カバーを示す平面図である。
【図１１】変形例に係る制御機能付コネクタ装置を示す斜視図である。
【図１２】変形例に係る制御機能付コネクタ装置が相手側のコネクタに接続された状態を示す説明図である。
【図１３】接合部カバーと分割ハウジングとの溶着部分を示す拡大図である。
【図１４】接合部カバーと分割ハウジングとの溶着部分に環状部材を溶着した部分を示す拡大図である。
【符号の説明】
【００７６】
１０，１０Ｂ  制御機能付コネクタ装置
１２  コネクタハウジング
１４  凹溝
１５  コネクタ部
１６  電子部品
２０，３０  分割ハウジング
２１，３１  周壁部
２１ａ，３１ａ  対向面
２４，３４  回路パターン
２５，３５  接続端子部
４０  接合部カバー
５０  環状部材
５２  環状防水部材
【図１】
2006134595.tif 000003
【図２】
2006134595.tif 000004
【図３】
2006134595.tif 000005
【図４】
2006134595.tif 000006
【図５】
2006134595.tif 000007
【図６】
2006134595.tif 000008
【図７】
2006134595.tif 000009
【図８】
2006134595.tif 000010
【図９】
2006134595.tif 000011
【図１０】
2006134595.tif 000012
【図１１】
2006134595.tif 000013
【図１２】
2006134595.tif 000014
【図１３】
2006134595.tif 000015
【図１４】
2006134595.tif 000016